(57)【特許請求の範囲】
【請求項１】
ゲームを表示する表示装置とは別の発光源が発光することにより遊技演出を行う遊技機において、
前記遊技演出を行う演出ユニットを設け、
前記演出ユニットは、
透光性があり、立体的に装飾され、前記発光源からの光を透過することで、前記遊技演出を行う演出部材と、
前記演出部材と対向する内面を窪ませ、この対向する内面によって曲面を形成し、前記演出部材の前面を覆うことが可能なハーフミラーと、を備え、
前記ハーフミラーは、動作可能に支持され、
前記ハーフミラーが前記演出部材の前面を覆った状態では、前記発光源が発光することで前記演出部材が視認可能になり、
前記ハーフミラーが前記演出部材の前面を覆わない状態では、前記発光源を発光させなくても前記演出部材が視認可能になることを特徴とする遊技機。
【発明の詳細な説明】
【技術分野】
【０００１】
本発明は、遊技機に関する。
【背景技術】
【０００２】
従来、遊技者にとって有利な特別遊技状態（例えば、いわゆる大当り状態）の発生後、当該特別遊技状態が確率変動を伴う特別遊技状態であるのか、もしくは確率変動を伴わない特別遊技状態であるのかを遊技者に報知するためには、種々の手法がとられている。
例えば特許文献１のように、変動表示装置に特図を変動表示して特図ゲームを行い、特別遊技状態が発生している間（例えば１ラウンド開始前）に、その特図とは別の識別情報である確変獲得決定図柄を表示し、確率変動状態に突入するか否かのゲームを行い、そのゲームの結果、確率変動状態に突入していれば、結果情報として「確変ゲーム獲得」等のメッセージを変動表示装置に表示して、報知を行うようにした遊技機が提供されている。なお確率変動とは、例えば大当りとなる確率を通常よりも高めることであり、以下では、場合により確変という。
【先行技術文献】
【特許文献】
【０００３】
【特許文献１】特開２０００−２２５２５３号公報
【発明の概要】
【発明が解決しようとする課題】
【０００４】
しかし、上記のような遊技機では、遊技者の期待感を高揚させて、より高い演出効果を得ることが期待できない。
そこで本発明は、上記のような問題点を解決するためになされたもので、遊技者の期待感を高揚させて、より高い演出効果が期待できる遊技機を提供することを目的とする。
【課題を解決するための手段】
【０００５】
本願請求項１に記載の遊技機は、
ゲームを表示する表示装置とは別の発光源が発光することにより遊技演出を行う遊技機において、
前記遊技演出を行う演出ユニットを設け、
前記演出ユニットは、
透光性があり、立体的に装飾され、前記発光源からの光を透過することで、前記遊技演出を行う演出部材と、
前記演出部材と対向する内面を窪ませ、この対向する内面によって曲面を形成し、前記演出部材の前面を覆うことが可能なハーフミラーと、を備え、
前記ハーフミラーは、動作可能に支持され、
前記ハーフミラーが前記演出部材の前面を覆った状態では、前記発光源が発光することで前記演出部材が視認可能になり、
前記ハーフミラーが前記演出部材の前面を覆わない状態では、前記発光源を発光させなくても前記演出部材が視認可能になることを特徴とする。
【発明の効果】
【０００６】
請求項１に記載の遊技機によれば、遊技者の期待感を高揚させて、より高い演出効果が期待できる。
【図面の簡単な説明】
【０００７】
【図１】パチンコ機の遊技盤の前面図である。
【図２】（ａ）は、センターケースの正面図であり、（ｂ）はセンターケースの斜視図である。
【図３】報知演出ユニットの分解斜視図である。
【図４】報知演出ユニットの要部（報知演出部材等）の分解斜視図であり、裏側から斜めに見た図である。
【図５】報知演出ユニットの要部（報知演出部材等）の分解斜視図であり、前面側から斜めに見た図である。
【図６】報知演出ユニットの動作を示す図であり、（ａ）は常態（ハーフミラーは閉状態）を示し、（ｂ）はレンズ面が前面を向いた状態（ハーフミラーは開状態）を示し、（ｃ）は確変報知時の状態を示し、（ｄ）は非確変報知時の状態を示す。
【図７】報知演出ユニットの前面側斜視図であり、（ａ）は常態（ハーフミラーは閉状態）を示し、（ｂ）はレンズ面が前面を向いた状態（ハーフミラーは半分開状態）を示す。
【図８】報知演出ユニットの前面側斜視図であり、（ａ）はレンズ面が前面を向いた状態（ハーフミラーは開状態）を示し、（ｂ）は報知部材やレンズ部材が回転している状態（ハーフミラーは開状態）を示す。
【図９】報知演出ユニットの前面側斜視図であり、（ａ）は確変報知のために上側のハーフミラーが開状態に動く途中の状態を示し、（ｂ）は確変報知時の状態を示し、（ｃ）は非確変報知のために下側のハーフミラーが開状態に動く途中の状態を示し、（ｄ）は非確変報知時の状態を示す。
【図１０】（ａ）は、報知演出ユニットの部分断面図（（ｂ）におけるＸ−Ｘ断面図）であり、（ｂ）は、報知演出ユニットの正面図（ハーフミラー閉状態）である。
【図１１】（ａ）は、報知演出ユニットの部分断面図（（ｂ）におけるＸ−Ｘ断面図）であり、（ｂ）は、報知演出ユニットの正面図（ハーフミラー開状態）である。
【図１２】（ａ）は、報知演出ユニットの部分断面図（（ｂ）におけるＸ−Ｘ断面図）であり、（ｂ）は、報知演出ユニットの正面図（確変報知時の状態）である。
【図１３】各モータ等の動作を示すタイミングチャートであり、（ａ）は確変報知を行う場合、（ｂ）は非確変報知を行う場合である。
【図１４】（ａ）は、報知演出ユニットの部分断面図（（ｂ）におけるＸ−Ｘ断面図）であり、（ｂ）は、報知演出ユニットの正面図（ハーフミラー閉状態）である。
【図１５】報知演出ユニットの前面側斜視図であり、ハーフミラーは閉状態を示す。
【発明を実施するための形態】
【０００８】
以下、本発明の実施の形態として、パチンコ機に適用した場合の形態例を、図面を参照して説明する。
（第１形態例）
まず、第１形態例を説明する。
Ａ．遊技盤の全体構成
図１は本形態例のパチンコ機の遊技盤の前面図である。
図１において、符号１は遊技盤であり、前面の略円形領域がガイドレール２で囲まれることにより遊技領域３が形成されている。
【０００９】
遊技盤１の前面には、図１に示すように、アウト球流入口４、センターケース１０、始動入賞口１１、第１大入賞口１２、第２大入賞口１３、複数の一般入賞口１４、普図始動ゲート１５、普図表示器（図示省略）、普図記憶表示器（図示省略）、多数の障害釘（図示省略）などが設けられている。なお障害釘は、遊技領域３の上部に飛入した遊技球がこれに当たりながら流下するものであり、センターケース１０や入賞具（始動入賞口１１等）の取付部分を除いた遊技領域内に複数本植設されている。
【００１０】
センターケース１０は、遊技盤１の裏側に取り付けられる表示装置本体（図示省略）の表示部６の周囲を囲む部材である。この場合のセンターケース１０は、前記表示装置本体とともに、本発明の変動表示装置を構成する。また、前記表示装置本体の表示部６に、変動表示ゲームが行われる表示領域が形成される。
このセンターケース１０の上部には、第１大入賞口１２と演出部３０（前面から見て円形状の部分、詳細後述する）が左右に並んで設けられている。
また、センターケース１０の底部には、遊技球が転動可能ないわゆる球見せ用のステージ４０が形成されている。
【００１１】
また、センターケース１０の左辺側には装飾部２２が設けられ、この装飾部２２には、遊技球をセンターケース１０内に誘導するワープ口２３が設けられている。このワープ口２３には、例えばセンターケース１０の上に流下して左に流れ落ちた遊技球が、障害釘に当ってこのワープ口２３に向かって跳ねることで、ある程度の確率で流入するようになっている。また、このように流入した遊技球は、ワープ口２３から、ステージ４０に流下する構成となっている（詳細後述する）。
【００１２】
また、センターケース１０の下端側中央（始動入賞口１１の上方位置）には、始動入賞誘導部２４が形成されている。前記ステージ４０の上に流下した遊技球のうちの一部は、この始動入賞誘導部２４の中央導出部２４ｃから排出され、始動入賞口１１へ誘導される（即ち、高確率で始動入賞口１１に流入する）構成となっている。なお、ステージ４０に流下し、始動入賞誘導部２４の左側導出部２４ａ又は右側導出部２４ｂから排出された遊技球は、始動入賞口１１に入賞する確率は低い。但し、後述する開閉部材１１ａが開いていると、左側導出部２４ａ又は右側導出部２４ｂから排出された遊技球は、始動入賞口１１へ相当の確率で入賞する。
【００１３】
また、センターケース１０の右辺下部には装飾部２５が、センターケース１０の右辺側には装飾部２６が、センターケース１０の上辺側には装飾部２７が、それぞれ設けられている。そして、これら装飾部２５〜２７や前述の装飾部２２や演出部３０等によって、所定の演出テーマを表現する装飾を実現している。なお図１に示すように、各装飾部２２〜２７には、少なくとも演出部３０と同様の円形状の前面構成を持つ演出部（符号２２ａ、２５ａ〜２７ａ、２５ｂ〜２７ｂ、２５ｃで示す）が１個又は複数形成され、全体として統一感のある装飾が施されている。
またここで、装飾部２６の演出部２６ａ，２６ｂは、後述する報知演出ユニット５０（図２（ｂ）に示す）によって構成されている。
【００１４】
次に表示装置本体は、数字や文字などの識別情報（場合により特図という）を表示可能な表示部６（表示領域）を有するもの（例えば、液晶表示装置よりなるもの）であり、複数列の特図を表示可能である。例えば、左側と中央と右側に特図を縦３列に表示し、各列において数字や文字等よりなる特図を停止状態で表示（停止表示）したり、あるいは変動状態（例えば、縦方向にスクロールする状態）で表示（即ち、変動表示）したりすることが可能である。また、表示部６には、上記特図とは別個に背景画像やキャラクタ画像などの演出用又は情報報知用の画像が表示可能である。
【００１５】
また、第１大入賞口１２や第２大入賞口１３は、いわゆる変動入賞装置に相当し、このうち第１大入賞口１２は既述したようにセンターケース１０の上部（演出部３０の左方）に設けられ、第２大入賞口１３は、始動入賞口１１の下方に配置されている。これら第１大入賞口１２や第２大入賞口１３は、特図の変動表示ゲームの結果（停止した特図の図柄）によって何れか一方が開放され、開放されると遊技球が入賞可能となる装置である。
また、始動入賞口１１は、特図の始動入賞口として機能する入賞口であり、この始動入賞口１１に遊技球が入賞すると特図の始動入賞となる。ここで、始動入賞口１１は、前述した始動入賞誘導口２４の中央導出部２４ｃの真下に配置されている。また、始動入賞口１１は、普通電動役物タイプの始動入賞口であり、入賞口としての開口部分を開閉する開閉部材１１ａを有する。この開閉部材１１ａは、後述するように、普図当りのときに開く。そして、開閉部材１１ａが閉じているときには、始動入賞口１１に遊技球が入賞する可能性は低い構成（主に中央導出部２４ｃから落下した遊技球のみが入賞する構成）となっており、開閉部材１１ａが開くことによって、始動入賞口１１の中央の左右両側に流れ落ちた遊技球（例えば、前述の左側導出部２４ａ又は右側導出部２４ｂから排出された遊技球）が、開閉部材１１ａに案内されて始動入賞口１１に流入する可能性が生じる。
なお図１では、開閉部材１１ａが開いた状態を図示している。
【００１６】
次に、普図表示器（図示省略）は、いわゆる普図としての数字等を表示可能な７セグメントの表示器である。
また、普図記憶表示器（図示省略）は、例えば普図表示器の周囲４箇所に設けられた小さなランプよりなり、そのランプの点灯数によって、普図始動ゲート１５を遊技球が通過することにより発生した普図の始動記憶の数（この場合、上限数が４個）を表示するものである。
【００１７】
Ｂ．センターケースの構成
次に、センターケース１０の構成について、図２を参照して説明する。図２（ａ）は、センターケース１０の正面図であり、図２（ｂ）はセンターケース１０の斜視図（後述する装飾枠体１０ａと報知演出ユニット５０とを示す斜視図）である。なお図２は、装飾部２５を構成する部材や、後述する画面枠等を取り外した状態を示している。
【００１８】
センターケース１０は、前面側の装飾枠体１０ａと、装飾枠体１０ａの裏面側に取り付けられる画面枠（図示省略）と、を含む。
遊技盤１を構成する基板（いわゆるベニヤ、図示省略）には、上記センターケース１０をはめ込むためのセンターケース用開口（図示省略）が形成され、上記装飾枠体１０ａは、遊技盤１の前面からこのセンターケース用開口にはめ込まれて取り付けられる。
【００１９】
装飾枠体１０ａは、内側が前後に開口する枠状のものであり、画面枠の後述する表示用開口部を介して表示装置本体の表示部６を前面から視認可能とする。また、前述の装飾部２２や装飾部２５〜２７は、装飾枠体１０ａの一部として、或いはこれら装飾部を構成する部材を装飾枠体１０ａに固定することによって、設けられている。
また装飾枠体１０ａには、表示部６の上方に、前方に突出する鎧部２８が設けられている。この鎧部２８は、遊技球が表示部６の前面に落下しないようにする部分である。
一方、画面枠は、前記表示部６が臨む矩形の表示用開口部（図示省略）を内側に有し、装飾枠体１０ａに対して固定される部材である。
【００２０】
Ｃ．ステージの構成
次に、ステージ４０について簡単に説明する。
ステージ４０は、装飾枠体１０ａの底面上にネジ止めによって固定されるステージ部材４０ａの上面に形成され、前方から視認可能となっている。
ステージ４０等の詳細な構成の説明は省略するが、ワープ入口２３から流入した遊技球は、まず装飾部２２の内部に形成されたワープ流路（図示省略）を流れ落ちて、装飾部２２の内面側（ステージ４０の左方）に形成されたワープ出口２３ａ（図２（ｂ）に示す）から流出し、ステージ４０上に左端から流入する。そして、こうしてステージ４０上に流れた遊技球の一部は、最終的に始動入賞誘導部２４の中央導出部２４ｃ又は左側導出部２４ａ又は右側導出部２４ｂからセンターケース１０の下方に排出され、始動入賞口１１又はその付近に流下する構成となっている。
【００２１】
Ｄ．演出部３０の構成
次に、演出部３０の構成について、簡単に説明する。
演出部３０は、装飾枠体１０ａ（ベース部材）に形成された円形の開口部３１（図２（ｂ）に示す）と、該開口部３１を介して遊技盤前面側に臨む発光源（図示省略）と、該発光源（図示省略）の前面を覆う透明な立体オブジェクト（図示省略）と、該立体オブジェクト（図示省略）の前面を覆うハーフミラー３４（図２（ａ）に示す）とを有する。
【００２２】
ここで、立体オブジェクトは、ハーフミラー側に膨出し、前記演出テーマに沿った特定のキャラクタ等を表現する形状となっており、開口部３１内に配置されている。
次にハーフミラー３４は、曲面（この場合、球面）を有し、発光源からの光の一部を前記曲面によって屈折させて立体オブジェクトに反射させる構成である。即ちハーフミラー３４は、立体オブジェクトと対向する内面を窪ませた半球状のもので、この対向する内面によって前記曲面を形成した構成である。このハーフミラー３４は、その後部側（外周側）が開口部３１の内側に配置され、その前部側（中心側）が開口部３１よりも前方に張り出している。
次に発光源は、ＬＥＤ基板（図示省略）に搭載されたＬＥＤである。
【００２３】
この演出部３０では、ハーフミラー３４が曲面状となっている（詳しくはハーフミラー３４が上記立体オブジェクトの膨出形状に応じて凹んでいる）ので、ハーフミラー３４から上記立体オブジェクトへ照射される反射光がムラになりにくいという利点がある。
なお、演出部３０以外の演出部（符号２２ａ、２５ａ、２７ａ、２５ｂ、２７ｂ、２５ｃで示す演出部）は、演出部３０と同様の内部構成を有するものでもよいし、前面構成だけが演出部３０と同様の構成である態様（発光源や立体オブジェクト等を備えない態様）であってもよい。
【００２４】
Ｅ．報知演出ユニットの構成
次に、演出部２６ａ、２６ｂを構成する報知演出ユニット５０の構成について、図２〜図１２によって説明する。
図３は、報知演出ユニットの分解斜視図である。
図４及び図５は、報知演出ユニットの要部（報知演出部材等）の分解斜視図であり、図４は裏側から斜めに見た図、図５は前面側から斜めに見た図である。
図６は、報知演出ユニットの動作を示す図であり、図６（ａ）は常態（ハーフミラーは閉状態）を示し、図６（ｂ）はレンズ面が前面を向いた状態（ハーフミラーは開状態）を示し、図６（ｃ）は確変報知時の状態を示し、図６（ｄ）は非確変報知時の状態を示す。
図７は、報知演出ユニットの前面側斜視図であり、図７（ａ）は常態（ハーフミラーは閉状態）を示し、図７（ｂ）はレンズ面が前面を向いた状態（ハーフミラーは半分開状態）を示す。
図８は、報知演出ユニットの前面側斜視図であり、図８（ａ）はレンズ面が前面を向いた状態（ハーフミラーは開状態）を示し、図８（ｂ）は報知部材やレンズ部材が回転している状態（ハーフミラーは開状態）を示す。
図９は、報知演出ユニットの前面側斜視図であり、図９（ａ）は確変報知のために上側のハーフミラーが開状態に動く途中の状態を示し、図９（ｂ）は確変報知時の状態を示し、図９（ｃ）は非確変報知のために下側のハーフミラーが開状態に動く途中の状態を示し、図９（ｄ）は非確変報知時の状態を示す。
図１０（ａ）は、報知演出ユニットの部分断面図（図１０（ｂ）におけるＸ−Ｘ断面図）であり、図１０（ｂ）は、報知演出ユニットの正面図（ハーフミラー閉状態）である。
図１１（ａ）は、報知演出ユニットの部分断面図（図１１（ｂ）におけるＸ−Ｘ断面図）であり、図１１（ｂ）は、報知演出ユニットの正面図（ハーフミラー開状態）である。
図１２（ａ）は、報知演出ユニットの部分断面図（図１２（ｂ）におけるＸ−Ｘ断面図）であり、図１２（ｂ）は、報知演出ユニットの正面図（確変報知時の状態）である。
【００２５】
図２（ｂ）に示すように、報知演出ユニット５０は、センターケース１０の装飾枠体１０ａの装飾部２６の位置に、後方から取り付けられる。
図３〜図５に示すように、報知演出ユニット５０は、確率変動状態になることの報知及び装飾演出を行う第１報知演出部材５１と、該第１報知演出部材５１の下方に配置されて、前記確率変動状態ではない非確率変動状態になることの報知及び装飾演出を行う第２報知演出部材５２と、第１報知演出部材５１の前面を覆う閉状態と第１報知演出部材５１の前面を覆わない開状態とに変化できるように回転可能とされた略半球状の第１ハーフミラー６１と、第２報知演出部材５２の前面を覆う閉状態と第２報知演出部材５２の前面を覆わない開状態とに変化できるように回転可能とされた略半球状の第２ハーフミラー６２と、第１報知演出部材５１と第２報知演出部材５２を連動させて回転駆動する報知演出駆動機構７０と、第１ハーフミラー６１を回転駆動する第１ミラー駆動機構７１と、第２ハーフミラー６２を第１ハーフミラー６１とは別個に回転駆動する第２ミラー駆動機構７２と、当該報知演出ユニット５０を装飾枠体１０ａに取り付けるための取付ベース７３と、各駆動機構７０〜７２を取付ベース７３に取り付けるための駆動機構取付ベース７４と、当該報知演出ユニット５０の裏面を覆う裏箱部材７５とを備える。
【００２６】
ここで、取付ベース７３は、第１報知演出部材５１や第１ハーフミラー６１を前面から視認可能な第１開口部７３ａ、及び第２報知演出部材５２や第２ハーフミラー６２を前面から視認可能な第２開口部７３ｂを有する。この取付ベース７３の第２開口部７３ｂの周囲前面には、図３に示すように装飾用のＬＥＤ基板７３ｃ，７３ｄが取り付けられ、このＬＥＤ基板７３ｃ，７３ｄに実装されたＬＥＤ７３ｅ，７３ｆの発光による装飾等が実行可能となっている。また、この取付ベース７３は、装飾枠体１０ａの演出部２６ｂ，２６ａの位置にそれぞれ形成された円形の開口部４１，４２（図２（ｂ）に示す）の中心に対して、上記第１開口部７３ａと第２開口部７３ｂの中心を合わせるようにして装飾枠体１０ａの裏側に配置され、図示省略したネジによって装飾枠体１０ａに固定される。
【００２７】
なお、第２報知演出部材５２は、第１報知演出部材５１の真下よりも正面から見て若干右側にずれた位置に配置され、これに対応させて、第２開口部７３ｂや開口部４２の位置も、第１開口部７３ａや開口部４１の位置に対して、真下よりも若干右側にずれた位置に配置されている。
次に駆動機構取付ベース７４は、各駆動機構７０〜７２を後方からスライドさせて取り付けて支持する部材である。この駆動機構取付ベース７４は、取付ベース７３の後面側に図示省略したネジによって固定される。なお、第１報知演出部材５１と第２報知演出部材５２、及び第１ハーフミラー６１と第２ハーフミラー６２は、この駆動機構取付ベース７４と取付ベース７３との間に配置されて取り付けられる。
次に裏箱部材７５は、駆動機構取付ベース７４の裏面（即ち、各駆動機構７０〜７２の裏面）を覆って蓋をするための部材である。この裏箱部材７５は、図示省略したネジによって駆動機構取付ベース７４に固定される。
【００２８】
次に第１報知演出部材５１は、図４に示すように、報知部材５３と、レンズ部材５４と、ＬＥＤ基板５５とを有し、報知部材５３の後述する報知面５３ａにより確率変動状態になること（この場合、確率変動状態を発生させる大当たりであること）の報知を行う構成である。
報知部材５３は、略半球状に形成され、その膨出した表面に報知面５３ａが形成されている。報知面５３ａには、図６（ｃ）に示すように、確率変動状態を発生させる大当たりであることを示す文字列「ＢＩＧ」が形成されている。この報知部材５３は、表面が前面に向いた前向き状態と後面に向いた後向き状態とに変化できるように、略上下方向の軸線（以下、第１回転軸線という）を中心として回転可能となるように取付ベース７３に対して取り付けられ、前記前向き状態において確率変動状態になることの報知を行う。
【００２９】
また、この報知部材５３の半球状部分の裏面側上端には、図４や図５に示すように、中心線を含む平面で円筒を半分に割ったような形状（以下、単に半円筒状という）の半円筒状部５３ｂが上方に延びるように設けられている。なお報知演出ユニット５０の組立状態において、この半円筒状部５３ｂは、後述する半円筒状部５４ｂと接合されネジ止めされることによって、円筒状の中空軸を構成し、この中空軸の中心線が、前記第１回転軸線に一致するようになっている。また組立状態において、報知部材５３の回転中心である前記第１回転軸線（即ち、半円筒状部５３ｂの中心線）は、報知部材５３の半球状部分の中心（球の中心）を通るように配置され、報知部材５３の半球状部分は、常に一定の球面上を回転運動する。
また、この報知部材５３の半球状部分の裏面側下端には、図４や図５に示すように、裏面側に突出するボス５３ｃが形成されている。なお報知演出ユニット５０の組立状態において、このボス５３ｃは、後述する凹部５４ｃ内に嵌合され、凹部５４ｃにネジ止めされる。また、このボス５３ｃには、後述する第１報知部材従動ギア７０ｅの小径軸７０ｈが回転不能に嵌まり込む取付孔５３ｄが形成されている。
【００３０】
レンズ部材５４は、透光性のある部材であり、前述した半円筒状部５３ｂと半円筒状部５４ｂの接合部やボス５３ｃと凹部５４ｃの嵌合部におけるネジ止めによって、報知部材５３に背中合わせに取り付けられ、報知部材５３と一体に回転可能とされて、報知部材５３が後向き状態のときに表面が前向きになって装飾演出を行う部材である。本例の場合、このレンズ部材５４に施された装飾は、図１０（ａ）に例示するような立体オブジェクトである。即ち、レンズ部材５４は、例えば前述した演出部３０の立体オブジェクトと同様の部材であり、図４や図５等では図示省略している（単に板状の部材として図示している）が、実際には立体的なものである。
また、このレンズ部材５４の上端には、図４や図５に示すように、半円筒状部５４ｂが上方に延びるように設けられている。なお組立状態において、この半円筒状部５４ｂは、既述したように半円筒状部５３ｂと接合されることによって、円筒状の中空軸を構成する。また、この中空軸（半円筒状部５３ｂと半円筒状部５４ｂよりなるもの）は、第１ハーフミラー６１の後述する円筒状部６１ｂ内に摺動可能に挿入されることで、報知部材５３やレンズ部材５４の上部が回転可能に支持されている。また、このレンズ部材５４の下端には、図４や図５に示すように、前述したボス５３ｃが嵌まり込む凹部５４ｃが形成されている。
【００３１】
ＬＥＤ基板５５は、報知部材５３とレンズ部材５４との間に配設された基板であり、レンズ部材５４を後面から照射する発光源としてのＬＥＤ５５ａが実装されている。このＬＥＤ基板５５は、報知部材５３内に固定され、報知部材５３やレンズ部材５４と一体に回転する。なお図示省略しているが、このＬＥＤ基板５５の電気配線は、前記中空軸（半円筒状部５３ｂと半円筒状部５４ｂ）や後述する第１ミラー従動ギア７１ｅの内部を通して報知演出ユニット５０の外部に引き出されている。これにより、上記電気配線が第１回転軸線上から引き出されることになり、報知部材５３の回転に伴うＬＥＤ基板５５の回転によって上記電気配線に発生する動きを最小限の捩れだけに抑制して、上記電気配線の断線等を防止できる。
【００３２】
次に第２報知演出部材５２は、図４に示すように、報知部材５６と、レンズ部材５７と、ＬＥＤ基板５８とを有し、報知部材５６の後述する報知面５６ａにより非確率変動状態であること（この場合、確率変動状態を発生させる大当たりでないこと）の報知を行う構成である。
報知部材５６は、略半球状に形成され、その膨出した表面に報知面５６ａが形成されている。報知面５６ａには、図６（ｄ）に示すように、確率変動状態を発生させる大当たりでないことを示す文字列「ＲＥＧ」が形成されている。この報知部材５６は、表面が前面に向いた前向き状態と後面に向いた後向き状態とに変化できるように、略上下方向の軸線（以下、第２回転軸線という）を中心として回転可能となるように取付ベース７３に対して取り付けられ、前記前向き状態において非確率変動状態であることの報知を行う。
【００３３】
また、この報知部材５６の半球状部分の裏面側下端には、図４や図５に示すように、半円筒状部５６ｂが下方に延びるように設けられている。なお報知演出ユニット５０の組立状態において、この半円筒状部５６ｂは、後述する半円筒状部５７ｂと接合されネジ止めされることによって、円筒状の中空軸を構成し、この中空軸の中心線が、前記第２回転軸線に一致するようになっている。また組立状態において、報知部材５６の回転中心である前記第２回転軸線（即ち、半円筒状部５６ｂの中心線）は、報知部材５６の半球状部分の中心（球の中心）を通るように配置され、報知部材５６の半球状部分は、常に一定の球面上を回転運動する。
【００３４】
なお既述したように、第２報知演出部材５２は、第１報知演出部材５１の真下よりも正面から見て若干右側にずれた位置に配置され、第２報知演出部材５２や第２ハーフミラー６２の回転中心である第２回転軸線は、第１報知演出部材５１や第１ハーフミラー６１の回転中心である第１回転軸線に対して、正面から見て若干右側にずれている（図６等参照）。
また、この報知部材５６の半球状部分の裏面側上端には、図４や図５に示すように、裏面側に突出するボス５６ｃが形成されている。なお報知演出ユニット５０の組立状態において、このボス５６ｃは、後述する凹部５７ｃ内に嵌合され、凹部５７ｃにネジ止めされる。また、このボス５６ｃには、後述する第２報知部材従動ギア７０ｆの小径軸７０ｋが回転不能に嵌まり込む取付孔５６ｄが形成されている。
【００３５】
レンズ部材５７は、透光性のある部材であり、前述した半円筒状部５６ｂと半円筒状部５７ｂの接合部やボス５６ｃと凹部５７ｃの嵌合部におけるネジ止めによって、報知部材５６に背中合わせに取り付けられ、報知部材５６と一体に回転可能とされて、報知部材５６が後向き状態のときに表面が前向きになって装飾演出を行う部材である。本例の場合、このレンズ部材５７に施された装飾は、レンズ部材５４と同様であり、図１０（ａ）に例示するような立体オブジェクトである。即ち、レンズ部材５７は、例えば前述した演出部３０の立体オブジェクトと同様の部材であり、図４や図５等では図示省略している（単に板状の部材として図示している）が、実際には立体的なものである。
また、このレンズ部材５７の下端には、図４や図５に示すように、半円筒状部５７ｂが下方に延びるように設けられている。なお組立状態において、この半円筒状部５７ｂは、既述したように半円筒状部５６ｂと接合されることによって、円筒状の中空軸を構成する。また、この中空軸（半円筒状部５６ｂと半円筒状部５７ｂよりなるもの）は、第１ハーフミラー６２の後述する筒状部６２ｂ内に摺動可能に挿入されることで、報知部材５６やレンズ部材５７の下部が回転可能に支持されている。また、このレンズ部材５７の上端には、図４や図５に示すように、前述したボス５６ｃが嵌まり込む凹部５７ｃが形成されている。
【００３６】
ＬＥＤ基板５８は、報知部材５６とレンズ部材５７との間に配設された基板であり、レンズ部材５７を後面から照射する発光源としてのＬＥＤ（符号省略）が実装されている。このＬＥＤ基板５８は、報知部材５６内に固定され、報知部材５６やレンズ部材５７と一体に回転する。
なお図示省略しているが、このＬＥＤ基板５８の電気配線は、前記中空軸（半円筒状部５６ｂと半円筒状部５７ｂ）や後述する第２ミラー従動ギア７２ｅの内部を通して報知演出ユニット５０の外部に引き出されている。これにより、上記電気配線が第２回転軸線上から引き出されることになり、報知部材５６の回転に伴うＬＥＤ基板５８の回転によって上記電気配線に発生する動きを最小限の捩れだけに抑制して、上記電気配線の断線等を防止できる。
【００３７】
次に第１ハーフミラー６１は、少なくともその半球状部分がハーフミラー（内側で発光があった時のみ外側から内側が視認できるもの）として機能するもので、図４や図５に示すように、その半球状部分の裏面側上端に、円筒状部６１ｂが上方に延びるように設けられている。この円筒状部６１ｂは、報知演出ユニット５０の組立状態において、前述した中空軸（半円筒状部５３ｂと半円筒状部５４ｂよりなるもの）の外周に配置され、この中空軸を回転可能に支持する。また、円筒状部６１ｂは、同組立状態において、後述する第１ミラー従動ギア７１ｅの下面にネジ止めによって取り付けられ、第１ミラー従動ギア７１ｅとともに、取付ベース７３や駆動機構取付ベース７４に対して回転可能に支持されている。また円筒状部６１ｂの中心線が、前記第１回転軸線に一致するようになっている。これによって、この第１ハーフミラー６１は、第１ミラー従動ギア７１ｅとともに、前記第１回転軸線を中心として回転可能となっている。そして、前記第１回転軸線は、第１ハーフミラー６１の半球状部分の中心（球の中心）を通るように配置され、第１ハーフミラー６１の半球状部分は、常に一定の球面上（報知部材５３と中心が同じで、それよりも外側の球面上）を回転運動する。
【００３８】
また、この第１ハーフミラー６１の半球状部分の裏面側下端には、後述する第１報知部材従動ギア７０ｅの大径軸部７０ｇが摺動可能に嵌め込まれる軸受孔６１ｃが形成されている。
また、この第１ハーフミラー６１は、第１ミラー駆動機構７１によって回転駆動されてその半球状の膨出面が前面側に位置した状態を閉状態とし、回転駆動されてその半球状の膨出面が奥手側に位置した状態を開状態とするように構成されている。
【００３９】
次に第２ハーフミラー６２は、少なくともその半球状部分がハーフミラーとして機能するもので、図４や図５に示すように、その半球状部分の裏面側下端に、筒状部６２ｂが下方に延びるように設けられている。この筒状部６２ｂは、報知演出ユニット５０の組立状態において、前述した中空軸（半円筒状部５６ｂと半円筒状部５７ｂよりなるもの）の外周に配置され、この中空軸を回転可能に支持する。また、筒状部６２ｂは、同組立状態において、後述する第２ミラー従動ギア７２ｅの上面にネジ止めによって取り付けられ、第２ミラー従動ギア７２ｅとともに、取付ベース７３や駆動機構取付ベース７４に対して回転可能に支持されている。また筒状部６２ｂの中心線が、前記第２回転軸線に一致するようになっている。これによって、この第２ハーフミラー６２は、第２ミラー従動ギア７２ｅとともに、前記第２回転軸線を中心として回転可能となっている。そして、前記第２回転軸線は、第２ハーフミラー６２の半球状部分の中心（球の中心）を通るように配置され、第２ハーフミラー６２の半球状部分は、常に一定の球面上（報知部材５６と中心が同じで、それよりも外側の球面上）を回転運動する。
【００４０】
また、この第２ハーフミラー６２の半球状部分の裏面側上端には、後述する第２報知部材従動ギア７０ｆの大径軸部７０ｊが摺動可能に嵌め込まれる軸受孔６２ｃが形成されている。
また、この第２ハーフミラー６２は、第２ミラー駆動機構７２によって回転駆動されてその半球状の膨出面が前面側に位置した状態を閉状態とし、回転駆動されてその半球状の膨出面が奥手側に位置した状態を開状態とするように構成されている。
【００４１】
次に報知演出駆動機構７０は、図５に示すように、報知部材用モータ７０ａと、この報知部材用モータ７０ａが取り付けられる報知演出駆動ベース７０ｂと、報知部材用モータ７０ａの出力軸上に固定された報知演出駆動ギア７０ｃと、報知演出駆動ベース７０ｂに回転可能に取り付けられて報知演出駆動ギア７０ｃと噛み合って回転する報知演出伝動ギア７０ｄと、前述した第１回転軸線上に配置されて後述の第２報知部材従動ギア７０ｆと噛み合って回転する第１報知部材従動ギア７０ｅと、前述した第２回転軸線上に配置されて報知演出伝動ギア７０ｄと噛み合って回転する第２報知部材従動ギア７０ｆと、を備える。
【００４２】
ここで、第１報知部材従動ギア７０ｅは、取付ベース７３や駆動機構取付ベース７４に対して回転可能に取り付けられるものである。この第１報知部材従動ギア７０ｅの中心線上の上面側には、前述の軸受孔６１ｃに摺動回転可能に嵌まり込む大径軸部７０ｇが形成されている。また、この第１報知部材従動ギア７０ｅの中心線上の上端側（大径軸部７０ｇよりも上方）には、前述の取付孔５３ｄに嵌まり込む小径軸７０ｈが形成されている。
また、第２報知部材従動ギア７０ｆは、取付ベース７３や駆動機構取付ベース７４に対して回転可能に取り付けられるものである。この第２報知部材従動ギア７０ｆの中心線上の下面側には、前述の軸受孔６２ｃに摺動回転可能に嵌まり込む大径軸部７０ｊが形成されている。また、この第２報知部材従動ギア７０ｆの中心線上の下端側（大径軸部７０ｊよりも下方）には、前述の取付孔５６ｄに嵌まり込む小径軸７０ｋが形成されている。
【００４３】
この構成で報知部材用モータ７０ａの出力軸が回転すると、その回転は、報知演出駆動ギア７０ｃ及び報知演出伝動ギア７０ｄを介して第２報知部材従動ギア７０ｆに伝わり、さらに第２報知部材従動ギア７０ｆから第１報知部材従動ギア７０ｅに伝わる。そして、第１報知部材従動ギア７０ｅや第２報知部材従動ギア７０ｆの回転は、小径軸７０ｈや小径軸７０ｋを介して報知部材５３や報知部材５６に伝わる。この結果、報知部材５３を含む第１報知演出部材５１や報知部材５６を含む第２報知演出部材５２が、互いに逆向きに連動して回転する。但し、第１報知演出部材５１は、前記第１回転軸線を中心に回転し、第２報知演出部材５２は、前記第２回転軸線を中心に回転する。
【００４４】
次に第１ミラー駆動機構７１は、図４や図５に示すように、第１ミラー用モータ７１ａと、この第１ミラー用モータ７１ａが取り付けられる第１ミラー駆動ベース７１ｂと、第１ミラー用モータ７１ａの出力軸上に固定された第１ミラー駆動ギア７１ｃと、第１ミラー駆動ベース７１ｂに回転可能に取り付けられて第１ミラー駆動ギア７１ｃと噛み合って回転する第１ミラー伝動ギア７１ｄと、前述した第１回転軸線上に配置されて第１ミラー伝動ギア７１ｄと噛み合って回転する第１ミラー従動ギア７１ｅと、を備える。
ここで、第１ミラー従動ギア７１ｅは中空状のものであり、この第１ミラー従動ギア７１ｅの中心線上の上面側には、取付ベース７３や駆動機構取付ベース７４に対して摺動回転可能に取り付けられる円筒軸部７１ｆが形成されている。そして、この円筒軸部７１ｆによって、第１ミラー従動ギア７１ｅや第１ハーフミラー６１が、取付ベース７３や駆動機構取付ベース７４に対して回転可能に支持されている。
【００４５】
この構成で第１ミラー用モータ７１ａの出力軸が回転すると、その回転は、第１ミラー駆動ギア７１ｃ及び第１ミラー伝動ギア７１ｄを介して第１ミラー従動ギア７１ｅに伝わる。この結果、第１ミラー従動ギア７１ｅに固定された第１ハーフミラー６１が、他の部材（第１報知演出部材５１や第２報知演出部材５２や第２ハーフミラー６２）とは別個独立に、前記第１回転軸線を中心として、第１報知演出部材５１の外側を回転する。
【００４６】
次に第２ミラー駆動機構７２は、図４や図５に示すように、第２ミラー用モータ７２ａと、この第２ミラー用モータ７２ａが取り付けられる第２ミラー駆動ベース７２ｂと、第２ミラー用モータ７２ａの出力軸上に固定された第２ミラー駆動ギア７２ｃと、第２ミラー駆動ベース７２ｂに回転可能に取り付けられて第２ミラー駆動ギア７２ｃと噛み合って回転する第２ミラー伝動ギア７２ｄと、前述した第２回転軸線上に配置されて第２ミラー伝動ギア７２ｄと噛み合って回転する第２ミラー従動ギア７２ｅと、を備える。
ここで、第２ミラー従動ギア７２ｅは中空状のものであり、この第２ミラー従動ギア７２ｅの中心線上の下面側には、取付ベース７３や駆動機構取付ベース７４に対して摺動回転可能に取り付けられる円筒軸部７２ｆが形成されている。そして、この円筒軸部７２ｆによって、第２ミラー従動ギア７２ｅや第２ハーフミラー６２が、取付ベース７３や駆動機構取付ベース７４に対して回転可能に支持されている。
【００４７】
この構成で第２ミラー用モータ７２ａの出力軸が回転すると、その回転は、第２ミラー駆動ギア７２ｃ及び第２ミラー伝動ギア７２ｄを介して第２ミラー従動ギア７２ｅに伝わる。この結果、第２ミラー従動ギア７２ｅに固定された第２ハーフミラー６２が、他の部材（第１報知演出部材５１や第２報知演出部材５２や第１ハーフミラー６１）とは別個独立に、前記第２回転軸線を中心として、第２報知演出部材５２の外側を回転する。
【００４８】
なお、第１ハーフミラー６１や第１報知演出部材５１は、装飾枠体１０ａの上側の開口部４１と取付ベース７３の上側の第１開口部７３ａを介して前面から視認可能となっている。詳細には、第１ハーフミラー６１が閉状態にあると、開口部４１では、第１ハーフミラー６１が最前面に位置して前面に臨んだ状態となり、第１報知演出部材５１は、この第１ハーフミラー６１の奥側に位置して第１ハーフミラー６１に前面を覆われた状態となる。そして、第１ハーフミラー６１が開状態にあると、開口部４１では、第１報知演出部材５１が最前面に位置して前面に臨んだ状態となり、この際、第１報知演出部材５１の報知部材５３が前向き状態であれば、この報知部材５３の報知面５３ａが最前面に位置して開口部４１から前面に臨んだ状態となる。
また同様に、第２ハーフミラー６２や第２報知演出部材５２は、装飾枠体１０ａの下側の開口部４２と取付ベース７３の下側の第２開口部７３ｂを介して前面から視認可能である。
【００４９】
Ｆ．報知演出ユニットの動作
次に、報知演出ユニット５０の動作について、図１３等によって説明する。図１３（ａ）は、確変報知を行う場合の各モータ等の動作を示すタイミングチャートであり、図１３（ｂ）は、非確変報知を行う場合の各モータ等の動作を示すタイミングチャートである。
前述した各モータ（報知部材用モータ７０ａ、第１ミラー用モータ７１ａ、第２ミラー用モータ７２ａ）は、図示省略した本パチンコ機の制御装置（遊技制御装置などと呼ばれるメイン制御装置、或いは演出制御装置などのサブ制御装置）によって制御され、次のような動作が実現される。
【００５０】
まず、常態（確変報知や非確変報知を行わない通常状態）では、図６（ａ）や図７（ａ）或いは図１０（ａ），（ｂ）に示すように、第１報知演出部材５１や第２報知演出部材５２の各報知部材５３，５６が前記後向き状態となって各レンズ部材５４，５７が前向きになるとともに、各レンズ部材５４，５７の前面を覆うように第１ハーフミラー６１と第２ハーフミラー６２がそれぞれ前記閉状態となる。そして適宜、ＬＥＤ基板５５の発光源（ＬＥＤ５５ａ）又は／及びＬＥＤ基板５８の発光源（図示省略）がオンされて、レンズ部材５４，５７の何れか一方又は両方が後方から照射されることで、当該レンズ部材に施された装飾が前面側から視認可能となって、光と装飾による演出が実行される。この際、各ハーフミラー６１，６２が曲面状（この場合、球面状）となっている（詳しくは各ハーフミラー６１，６２が立体オブジェクトである各レンズ部材５４，５７の膨出形状に応じて凹んでいる）ので、各ハーフミラー６１，６２から各レンズ部材５４，５７（立体オブジェクト）へ照射される反射光がムラになりにくいという利点がある。
なお、上記発光源がオンされなければ、第１ハーフミラー６１又は第２ハーフミラー６２のハーフミラーとしての機能によって、レンズ部材５４又は５７は遊技機前面側の遊技者からは視認不可能である。
【００５１】
次に、確率変動状態になるか否かを報知する場合には、図１３（ａ），（ｂ）に示すように、まず第１ミラー用モータ７１ａと第２ミラー用モータ７２ａが一時的にＯＮ（駆動）され、第１ハーフミラー６１と第２ハーフミラー６２が１８０度回転駆動されて閉状態から開状態に動く。これにより、図６（ｂ）や図８（ａ）或いは図１１（ａ），（ｂ）に示すように、第１報知演出部材５１と第２報知演出部材５２が開口部４１と４２からそれぞれ前面に露出する。
【００５２】
次に、第１ハーフミラー６１と第２ハーフミラー６２が開状態に維持された状態で、報知部材用モータ７０ａが所定時間ＯＮされ、第１報知演出部材５１と第２報知演出部材５２が回転動作を所定時間継続して行う。これにより、開口部４１において第１報知演出部材５１の報知部材５３とレンズ部材５４が交互に前面に露出し、報知部材５３の報知面５３ａの文字列「ＢＩＧ」がちらちら断続的に遊技者に見える。また、開口部４２においては、第２報知演出部材５２の報知部材５６とレンズ部材５７が交互に前面に露出し、報知部材５６の報知面５６ａの文字列「ＲＥＧ」がちらちら断続的に遊技者に見える。このため、遊技者は、確変になるか否かをドキドキしながら見守ることになり、遊技者の期待感を高める演出が実現される。
なおこの際、報知部材用モータ７０ａは、一方向にぐるぐる回転するように駆動されてもよいが、報知部材５３，５６とレンズ部材５４，５７が交互に前面に向くように１８０度の範囲で第１報知演出部材５１と第２報知演出部材５２が揺動するように駆動されてもよい。
【００５３】
そして上記所定時間が経過すると、各レンズ部材５４，５７が前面側に位置して各報知部材５３，５６が後向き状態となるように、報知部材用モータ７０ａがＯＦＦ（駆動停止）されて第１報知演出部材５１と第２報知演出部材５２が回転を停止する。次いで第１ミラー用モータ７１ａと第２ミラー用モータ７２ａが一時的にＯＮされ、第１ハーフミラー６１と第２ハーフミラー６２が１８０度回転駆動されて開状態から閉状態に動く。これにより、前述した常態と同じ状態に戻り、第１ハーフミラー６１と第２ハーフミラー６２が前面を覆って、第１報知演出部材５１と第２報知演出部材５２（各報知面５３ａ，５６ａ含む）は一旦両方とも遊技者に見えなくなる。
【００５４】
次に、各ハーフミラー６１，６２が各報知部材を覆った状態（即ち、閉状態）で、報知部材用モータ７０ａが一時的にＯＮされ、第１報知演出部材５１と第２報知演出部材５２が１８０度回転駆動され、各報知部材５３，５６が前向き状態とされて、各報知面５３ａ，５６ａが前向きとされる。
そしてその後、確率変動状態になることが報知される場合には、図１３（ａ）に示すように、第１ミラー用モータ７１ａのみが一時的にＯＮされ、第１ハーフミラー６１のみが１８０度回転駆動されて図９（ａ），（ｂ）の如く閉状態から開状態に動き、非確率変動状態ｎｉなることが報知される場合には、図１３（ｂ）に示すように、第２ミラー用モータ７２ａのみが一時的にＯＮされ、第２ハーフミラー６２のみが１８０度回転駆動されて図９（ｃ），（ｄ）の如く閉状態から開状態に動く。
これにより、確率変動状態ｎｉなることが報知される場合には、図６（ｃ）や図９（ｂ）或いは図１２（ａ），（ｂ）に示すように、第１報知演出部材５１の報知部材５３が開口部４１から前面に露出して、遊技者に報知面５３ａの文字列「ＢＩＧ」のみが見えて、確変になることが報知される。一方、非確率変動状態になることが報知される場合には、図６（ｄ）や図９（ｄ）に示すように、第２報知演出部材５２の報知部材５６が開口部４２から前面に露出して、遊技者に報知面５６ａの文字列「ＲＥＧ」のみが見えて、確変にならないことが報知される。
【００５５】
Ｇ．遊技の概要
次に、本形態例のパチンコ機で行われる遊技の概要や遊技の流れについて説明する。
まず、遊技開始当初の時点（或は遊技開始前の時点）では、客待ち状態（デモ中）となっており、表示装置本体の画面（表示部６）には客待ち画像（動画又は静止画）が表示される。
ガイドレール２を介して遊技領域３に打込まれた遊技球が、始動入賞口１１に入賞すると（即ち、特図の始動入賞があると）、表示部６において特図の変動表示が行われて、変動表示ゲームが実行される。
【００５６】
そして、見かけ上、この変動表示ゲームの表示部６における特図の停止表示態様（変動表示により導出された特図の組合せ）が特別表示態様（例えば、「３、３、３」などのゾロ目）であれば、大当りと呼ばれる特典が遊技者に付与される。なお制御上は、例えば始動入賞があったことを条件として、大当り乱数の値が抽出記憶されて、この抽出記憶された乱数値と予め設定された判定値とが判定時に比較判定され、この比較判定結果に基づいて、予め大当りとするか否かが決定され、この決定に応じて上記変動表示ゲームが開始される。
また、例えば上記特図の停止表示態様が特定の表示態様（例えば、「７、７、７」などのゾロ目）であれば、大当りになるとともに、その大当り後に大当りとなる確率が高められる確率変動状態となる。そして本例の場合、報知演出ユニット５０の前述の動作によって、このような確率変動状態になるか否かが報知される。
【００５７】
なお、確率変動状態の発生条件は、上述したように特図が特定の表示態様で停止する場合に限定されない。例えば、特図に無関係に、大当り時に確率変動状態とするか否かが制御装置内の乱数抽出などによって決定され、その決定結果が前述の報知演出ユニット５０の動作によって遊技者に報知される構成でもよい。
また、上記特図の停止表示態様が確率変動状態になる特定の表示態様（例えば、「７、７、７」などのゾロ目）でない場合に、再抽選として報知演出ユニット５０の前述の動作を行って、確率変動状態になるか否かを再度決定して遊技者に報知するような構成でもよい。
【００５８】
次に、上記大当り状態（本発明の特別遊技状態に相当）になると、第１大入賞口１２又は第２大入賞口１３が、規定時間（例えば、３０秒）を越えない範囲内において、例えば１０個入賞までの期間だけ一時的に開放される開放動作が行われる。そしてこの開放動作は、例えば、１５ラウンドまで行われる。また、この大当たり状態では、大当たり状態を演出したり大当たりラウンド数などを遊技者に報知するための大当たり画像の表示が、表示部６で実行される。
【００５９】
また、上記特図の変動表示ゲーム中又は大当り中に、始動入賞口１１にさらに遊技球が入賞したときには、例えば表示部６で特図始動記憶表示が行われて４個まで記憶され、変動表示ゲーム又は大当りが終了した後に、その記憶（即ち、始動記憶）に基づいて上記特図の変動表示ゲームが繰り返されたり、客待ち状態に戻ったりする。
即ち、変動表示ゲームが大当たりで終了すれば大当たり状態に移行し、変動表示ゲームがはずれで終了し始動記憶があれば再度変動表示ゲームが実行され、変動表示ゲームがはずれで終了し始動記憶がなければ客待ち状態に戻り、大当たりが終了して始動記憶があれば再度変動表示ゲームが実行され、大当たりが終了して始動記憶がなければ客待ち状態に戻る流れとなっている。
【００６０】
一方、遊技中に、遊技球が普図始動ゲート１５を通過したときは、普図表示器での普図の変動表示による普図の変動表示ゲームが行われる。そして、この変動表示ゲーム結果（停止した普図）が所定の態様であれば、普図当りと呼ばれる特典が付与される。
この普図当りになると、始動入賞口１１の一対の開閉部材１１ａが逆ハの字に開いた開放状態に、例えば０．５秒程度保持される遊技が行われる。これにより、始動入賞口１１に遊技球が入る可能性が生じて始動入賞し易くなり、その分、特図の変動表示ゲームの実施回数が増えて大当りになる可能性が増す。
また、上記普図の変動表示ゲーム中に、普図始動ゲート１５にさらに遊技球が入賞したときには、普図記憶表示器で普図始動記憶表示が実行されてこの場合４個まで記憶され、普図の変動表示ゲームの終了後に、その記憶に基づいて上記普図の変動表示ゲームが繰り返される。
【００６１】
以上説明した本例の遊技機では、センターケース１０（変動表示装置）に、ハーフミラーを使った装飾演出と確変報知の両方を行う報知演出ユニット５０を配設し、確変になるか否かを報知するために、上下にそれぞれ配置したハーフミラー（第１ハーフミラー６１、第２ハーフミラー６２）や報知演出部材（第１報知演出部材５１、第２報知演出部材５２）によるメカ的な動きで報知するようにした。また、ハーフミラーは上下で別駆動源、報知演出部材は上下連動して動作し、その動作により報知、及び演出を行う構成とした。このため、装飾演出と確変報知の機能をユニット化し、省スペースで両方の機能が実現できる。また、表示領域や別部品を用いずに、従来にない確変の報知が可能となり、遊技者の興趣も向上する。
【００６２】
また、本例の遊技機によれば、確変になるか否かを報知する際、両方のハーフミラーを開状態として各報知演出部材を所定時間回転させて各報知面５３ａ，５６ａをちらちら遊技者に見せた後、一旦両方のハーフミラーを閉じて各報知面５３ａ，５６ａを前向きとし、その後何れか一方のハーフミラーを開けて一方の報知面を見せて報知を行うので、確変報知が行われることが明確となる。また、遊技者の期待感を高揚させて、より高い演出効果が期待できる。
また、本例の遊技機によれば、各レンズ部材５４，５７の装飾を立体オブジェクトにしたから、前述した常態において、後方からの照射により非常に高い装飾演出効果が得られる。
【００６３】
（第２形態例）
次に、第２形態例を図１４、図１５によって説明する。図１４（ａ）は、報知演出ユニットの部分断面図（図１４（ｂ）におけるＸ−Ｘ断面図）であり、図１４（ｂ）は、報知演出ユニットの正面図（ハーフミラー閉状態）である。図１５は、報知演出ユニットの前面側斜視図であり、ハーフミラーは閉状態を示す。なお、第１形態例と同様の要素には同符号を使用する。
本例は、次の点において報知演出ユニットの構成が第１形態例の報知演出ユニット５０と異なり、他の構成は第１形態例と同じである。
即ち、第１報知演出部材５１の報知部材５３と、第２報知演出部材５２の報知部材５６が、透光性を有する部材によって形成されて、本発明の報知レンズ部材として機能する。また、第１報知演出部材５１のレンズ部材５４と第２報知演出部材５２のレンズ部材５７は、第１形態例と同様に透光性を有する部材によって形成されて、本発明の装飾レンズ部材として機能する。また、第１報知演出部材５１と第２報知演出部材５２の内部には、例えば図１４（ａ）に示すように、ＬＥＤ基板が２枚（ＬＥＤ基板５５とＬＥＤ基板１０５）設けられ、それぞれのＬＥＤ基板に発光源としてのＬＥＤ（ＬＥＤ５５ａとＬＥＤ１０５ａ）が搭載され、各ＬＥＤによってレンズ部材５４（装飾レンズ部材）と報知部材５３（報知レンズ部材）をそれぞれ後面から照射可能な構成となっている。
【００６４】
そして、確率変動状態になるか否かを報知する場合には、第１報知演出部材５１と第２報知演出部材５２の報知レンズ部材（報知部材５３，５６）の報知レンズ面（報知面５３ａ、５６ａ）が前面側に位置するように各報知レンズ部材が前向き状態に回転するとともに、各報知レンズ部材の前面を覆うように第１ハーフミラー６１と第２ハーフミラー６２がそれぞれ前記閉状態となり、第１報知演出部材５１と第２報知演出部材５２のうちの何れかの発光源（例えばＬＥＤ１０５ａ）が発光する。これにより、図１５に示すように、前面のハーフミラーを透過して報知レンズ面（報知面５３ａ、５６ａ）の文字列が前面から見えるようになり、確変になるか否かが報知される。なお図１５は、第１報知演出部材５１と第２報知演出部材５２の両方の発光源が発光した状態を図示しているが、実際には、何れか一方の発光源のみが発光して、報知レンズ面（報知面５３ａ、５６ａ）の文字列のうちの一方のみ（「ＢＩＧ」又は「ＲＥＧ」）が前面から視認可能となる。
【００６５】
なお本例においても、上述した最終的な確変の報知の動作を行う前に、各ハーフミラーを開状態としておいて各報知演出部材を所定時間回転させる動作を、第１形態例と同様に実行するようにしてもよい。
本例の遊技機によれば、第１形態例と同様の効果に加えて、次のような効果がある。即ち、報知演出部材の両面をレンズ面として、ハーフミラーで前面を覆った状態でもその報知を実現するようにしたから、ハーフミラー越しに確変の報知を行うという従来にない報知を行うことができ、高い装飾効果を期待できる。
【００６６】
なお、本発明は上述した形態例に限られず、各種の変形や応用があり得る。
例えば、上記形態例では確変になることを報知する第１報知演出部材５１が上側に配置されているが、第１報知演出部材５１と第２報知演出部材５２の位置関係が上下逆であってもよいことは、いうまでもない。
また、上記形態例では、特図の変動表示結果に基づいて大当り（特別遊技状態）になる時に確率変動状態を発生させるか否かが決定される構成となっているが、これに限られない。特図の変動表示ゲームに無関係に確率変動状態が発生する構成であってもよい。
また、本発明の報知演出ユニットによる報知は、少なくとも確率変動状態になるか否かを報知するものであるが、現在の状態が確率変動状態であるか否かの報知も行うようにしてもよい。例えば、報知部材の報知面を前向きにして該当のハーフミラーを開状態にしてその報知面を露出状態に維持しておくことで、現在の状態が確率変動状態であるか否かの報知も本発明の報知演出ユニットによって実現できることは、いうまでもない。
【００６７】
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００６８】
１  遊技盤
３  遊技領域
６  表示部（表示領域）
１０  センターケース（変動表示装置）
１０ａ  装飾枠体
５０  報知演出ユニット
５１  第１報知演出部材
５２  第２報知演出部材
５３，５６  報知部材（報知レンズ部材）
５３ａ，５６ａ  報知面（報知レンズ面）
５４、５７  レンズ部材（装飾レンズ部材）
５５ａ，１０５ａ  ＬＥＤ（発光源）
６１  第１ハーフミラー
６２  第２ハーフミラー
７０  報知演出駆動機構
７１  第１ミラー駆動機構
７２  第２ミラー駆動機構
７３  取付ベース
７３ａ  第１開口部
７３ｂ  第２開口部
【図１】
0005697721.tif 000002
【図２】
0005697721.tif 000003
【図３】
0005697721.tif 000004
【図４】
0005697721.tif 000005
【図５】
0005697721.tif 000006
【図６】
0005697721.tif 000007
【図７】
0005697721.tif 000008
【図８】
0005697721.tif 000009
【図９】
0005697721.tif 000010
【図１０】
0005697721.tif 000011
【図１１】
0005697721.tif 000012
【図１２】
0005697721.tif 000013
【図１３】
0005697721.tif 000014
【図１４】
0005697721.tif 000015
【図１５】
0005697721.tif 000016